(57)【特許請求の範囲】
【請求項１】
床面上に載置されるベースフレームと、前記ベースフレーム上に配置されるボトムとを有するベッドの前記ベースフレーム側辺上に配置されるベッド用サイドレールであって、
該ベッド用サイドレールは、
前記ボトム上の被介護者が出入り可能な開口部と、
前記開口部に開閉自在に取り付けられた開閉サイドレールと、
前記開口部の両側に該開口部に臨んで配置され、前記被介護者の立ち上がり動作を補助する電動の起立補助装置と、を有し、
前記起立補助装置は、
前記ベースフレーム上に取り付けられたケースフレームと、
前記ケースフレームに対し上下方向に移動可能に取り付けられた昇降フレームと、
前記昇降フレームに取り付けられ、該昇降フレームに対し回動可能に設けられた昇降バーと、
電動モータによって駆動され、前記昇降バーを上下方向に作動させる駆動力を付与するリニアアクチュエータと、を有することを特徴とするベッド用サイドレール。
【請求項２】
請求項１記載のベッド用サイドレールにおいて、
前記開閉サイドレールは、前記昇降フレームに取り付けられ、前記昇降バーと共に上下方向に移動することを特徴とするベッド用サイドレール。
【請求項３】
請求項１又は２記載のベッド用サイドレールにおいて、
前記昇降バーは昇降フレームを中心として回動し、前記サイドレール上の収容位置と、該収容位置からベッド内側方向に９０°回動した使用位置との間を移動可能であることを特徴とするベッド用サイドレール。
【請求項４】
請求項１〜３の何れか１項に記載のベッド用サイドレールにおいて、
前記昇降バーの端部に、前記起立補助装置の操作スイッチを配置したことを特徴とするベッド用サイドレール。
【請求項５】
請求項１〜４の何れか１項に記載のベッド用サイドレールを用いてなることを特徴とする起立補助装置付きベッド。
【発明の詳細な説明】
【技術分野】
【０００１】
本発明は、ベッド用サイドレールに関し、特に、被介護者の立ち上がり動作を補助する電動の補助装置を備えたサイドレール及びそれを用いた起立補助装置付きベッドに関する。
【背景技術】
【０００２】
病院や介護施設にて、患者や要介護者等（以下、被介護者と略記する）をベッドや椅子から立ち上がらせたり、立ち上がった被介護者をさらに車椅子等に移乗させたりする際の介助は、介護者にとってかなりの負担となる。特に、介護者が小柄な女性の場合、体重の重い被介護者の介助は大きな負担となる。そのため、その軽減手段として、被介護者の立ち上がり（あるいは着座）動作を補助する立ち上がり補助機として、座椅子の昇降によって立ち上がり補助を行う昇降座椅子や、座面が昇降するリフトアップチェアなどが知られている。
【先行技術文献】
【特許文献】
【０００３】
【特許文献１】特開2009-28378号公報
【発明の概要】
【発明が解決しようとする課題】
【０００４】
しかしながら、被介護者をベッドから移動させる際、昇降座椅子等をベッド上に設置して被介護者の立ち上がり動作の補助を行うことは、装置重量や着脱工数、コスト等の点から容易ではなく、一般には行われていない。このため、ベッドからの立ち上がり補助は、通常、人手を介して行われており、軽度の被介護者であっても１〜２人の介護者が必要となる。前述のように、このような介助動作は介護者に大きな負担を強いることになり、その改善が求められていた。
【０００５】
一方、被介護者にとって、自力で立ち上がることは、自立を意識し、リハビリや用務等に対する意欲の向上にもつながることから、近年では、自力での立ち上がり動作を補助すべく、ベッドのサイドレールを利用した移乗補助機構も上市されている。ところが、このような補助機構は、被介護者自身の腕力を必要としており、ごく一部の被介護者に利用が限定されてしまっているのが実情である。その反面、腰痛や膝関節損傷等、比較的軽度な被介護者にとっては、ややオーバースペックな仕様であり、症状や状態に適した、安価で取扱い易い立ち上がり補助装置を備えたベッドやサイドレールは提供されていなかった。
【０００６】
本発明の目的は、安心感のある安定した離着席動作が可能でありながら、安価で取扱い易い立ち上がり補助装置を備えたベッド用サイドレール及びそれを用いた起立補助装置付きベッドを提供することにある。
【課題を解決するための手段】
【０００７】
本発明のベッド用サイドレールは、床面上に載置されるベースフレームと、前記ベースフレーム上に配置されるボトムとを有するベッドの前記ベースフレーム側辺上に配置されるベッド用サイドレールであって、該ベッド用サイドレールは、前記ボトム上の被介護者が出入り可能な開口部と、前記開口部に開閉自在に取り付けられた開閉サイドレールと、前記開口部の両側に該開口部に臨んで配置され、前記被介護者の立ち上がり動作を補助する電動の起立補助装置と、を有し、前記起立補助装置は、前記ベースフレーム上に取り付けられたケースフレームと、前記ケースフレームに対し上下方向に移動可能に取り付けられた昇降フレームと、前記昇降フレームに取り付けられ、該昇降フレームに対し回動可能に設けられた昇降バーと、電動モータによって駆動され、前記昇降バーを上下方向に作動させる駆動力を付与するリニアアクチュエータと、を有することを特徴とする。
【０００８】
本発明のベッド用サイドレールは、被介護者のベッドからの離着座動作、すなわち、被介護者がベッドから立ち上がったり、ベッドに座ったりする際の動作の補助を行う。本発明にあっては、ベッドのサイドレールに設けられた開口部に臨んで電動の起立補助装置を配置する。起立補助装置は、ケースフレームと、ケースフレームに対し上下方向に移動可能に取り付けられた昇降フレームと、昇降フレームに取り付けられ、該昇降フレームに対し回動可能に設けられた昇降バーとを有する。昇降バーは、電動モータによって駆動されるリニアアクチュエータによって上下方向に作動する。例えば、被介護者がベッドから立ち上がる場合は、昇降バーを両手、両腕、両肘等で受け、両脇で抱えるように保持して身体を支え、起立補助装置を起立方向に動作させる。リニアアクチュエータが作動すると、昇降バーが昇降フレームと共に上昇する。昇降フレームが上昇すると、それに伴って、昇降バーを両手、両腕、両肘等で受けるように身体を支えた被介護者の上半身が持ち上げられ、起立状態となる。
【０００９】
前記ベッド用サイドレールにおいて、前記開閉サイドレールを前記昇降フレームに取り付け、前記開閉サイドレールが前記昇降バーと共に上下方向に移動するようにしても良い。この場合、前記開閉サイドレールを片開きとし、前記開口部の両側に配置された起立補助装置の何れか一方の前記昇降フレームに前記開閉サイドレールを取り付けても良い。また、前記開閉サイドレールを両開きとし、前記開口部の両側に配置された起立補助装置の両方の前記昇降フレームに前記開閉サイドレールを取り付けても良い。
【００１０】
また、前記昇降バーを、昇降フレームを中心として回動するように設け、前記サイドレール上の収容位置と、該収容位置からベッド内側方向に９０°回動した使用位置との間を移動可能としても良い。この場合、前記被介護者は、前記使用位置に移動させた前記昇降バーを両手、両腕、両肘等で受け、両脇で抱えるように保持する。そして、その状態で前記起立補助装置を作動させて前記昇降フレームを昇降させることにより、起立・着座動作の補助が行われる。
【００１１】
さらに、前記昇降バーの端部に前記起立補助装置の操作スイッチを配置しても良い。この位置に操作スイッチを配することにより、被介護者は、昇降バーを両脇に抱えた状態で容易にスイッチ操作を行うことが可能となる。
【００１２】
一方、本発明の起立補助装置付きベッドは、前述のようなベッド用サイドレールを用いてなることを特徴としており、当該ベッドを使用することにより、被介護者が一人で車椅子や簡易トイレに移乗することも可能となり、介護者の負担軽減や、被介護者の自立支援も図られる。また、簡単な構造により、価格もリーズナブルに抑えられるので、比較的軽度な被介護者に対しても、安価で取扱い易い補助装置付きベッドを提供することが可能となる。
【発明の効果】
【００１３】
本発明のベッド用サイドレールによれば、ベッドのサイドレールに電動の起立補助装置を組み込み、リニアアクチュエータによって昇降する昇降バーにより、両脇下と腕を保持しつつ被介護者を昇降させるようにしたので、安心感のある安定した立ち上がり補助動作を行うことが可能となる。これにより、被介護者が一人で車椅子や簡易トイレに移乗することも可能となり、介護者の負担軽減や、被介護者の自立支援も図られる。また、簡単な構造により、価格もリーズナブルに抑えられるので、比較的軽度な被介護者に対しても、安価で取扱い易い補助装置付きベッドを提供することが可能となる。
【００１４】
また、本発明の起立補助装置付きベッドによれば、ベッドのサイドレールに電動の起立補助装置を組み込み、リニアアクチュエータによって昇降する昇降バーにより、両脇下と腕を保持しつつ被介護者を昇降させるようにしたので、当該ベッドを使用することにより、被介護者が一人で車椅子や簡易トイレに移乗することも可能となり、介護者の負担軽減や、被介護者の自立支援も図られる。また、簡単な構造により、価格もリーズナブルに抑えられるので、比較的軽度な被介護者に対しても、安価で取扱い易い補助装置付きベッドを提供することが可能となる。
【図面の簡単な説明】
【００１５】
【図１】本発明の一実施の形態であるベッド用サイドレールを用いた起立補助装置付きベッドの全体構成を示す説明図である。
【図２】図１のベッドにて使用されている起立補助装置の構成を示す説明図である。
【図３】起立補助装置の動作を示す説明図である。
【図４】リニアアクチュエータの制御系の構成を示すブロック図である。
【図５】図１のベッドにおける補助動作を示す説明図である。
【図６】図１のベッドを使用した場合における車椅子等への移乗動作の様子を示す説明図である。
【図７】図１のベッドによる起き上がりからの補助動作を示す説明図である。
【発明を実施するための形態】
【００１６】
以下、本発明の実施の形態を図面に基づいて詳細に説明する。図１は、本発明の一実施の形態１であるベッド用サイドレールを用いた起立補助装置付きベッド１（以下、ベッド１と略記する）の全体構成を示す説明図である。ベッド１は、長方形状に組まれたベースフレーム２と、ベースフレーム２の四隅に取り付けられた支持脚３とを備えており、支持脚３によって床面上に載置される。ベースフレーム２の短辺側には、ヘッドボード４とフットボード５がそれぞれ取り付けられている。
【００１７】
ベースフレーム２の長辺側には、脱落防止柵を兼ねたサイドレール６,７（ベッド用サイドレール）が取り付けられている。ベースフレーム２上のヘッドボード４、フットボード５、サイドレール６,７に囲まれた空間にはボトム８が配置されている。ボトム８は、背ボトム８ａ、中ボトム８ｂ、脚ボトム８ｃの３部位から構成されている。背ボトム８ａは、図示しないリクライニング機構により、中ボトム８ｂ側を支点として上下動可能となっている。脚ボトム８ｃは２個に分割形成されており、被介護者の体位に合わせて山形に持ち上がるようになっている。
【００１８】
サイドレール６,７の中央には、被介護者がベッドから出入りできるように開閉部９が設けられている。開閉部９には、開閉サイドレール１１と、開閉サイドレール１１を開閉自在に支持する蝶番１２、開閉サイドレール１１を閉じた状態で保持するためのラッチ１３が設けられている。蝶番１２やラッチ１３の一端側は、開閉サイドレール１１と隣接する固定側のサイドレール６ａ,７ａに取り付けられている。蝶番１２の他端側とラッチ１３の受け金具は、開閉サイドレール１１に取り付けられている。なお、蝶番１２やラッチ１３は、図１においてサイドレール７側のみに記載されているが、サイドレール６側にも同様に設けられている。
【００１９】
本発明によるサイドレール６では、その開閉部９に、リニアアクチュエータを用いた起立補助装置２１が組み込まれている。起立補助装置２１は、開閉部９の開口部９ａ両側に、開口部９ａに臨んで設けられる。図２は、起立補助装置２１の構成を示す説明図、図３は、起立補助装置２１の動作を示す説明図である。起立補助装置２１は、リニアアクチュエータ２２を内蔵した電動昇降ユニット２３と、電動昇降ユニット２３によって上下方向に作動する昇降バー２４と、から構成されており、固定側のサイドレール６ａに取り付けられている。
【００２０】
電動昇降ユニット２３は、図２に示すように、ケースフレーム２５と昇降フレーム２６とから構成されている。ケースフレーム２５は、ベースフレーム２の側枠２ａ上に固定される。左右一方の起立補助装置２１の昇降フレーム２６には、開閉サイドレール１１が取り付けられている。また、昇降フレーム２６の上端には、昇降バー２４が回動可能に取り付けられている。昇降バー２４は、昇降フレーム２６を中心として、固定側のサイドレール６ａ上に配置される収容位置Ａと、収容位置Ａからベッド内側方向に９０°回動した使用位置Ｕとの間をスイング移動する。昇降バー２４の端部には、起立補助装置２１のＯＮ／ＯＦＦや上下動の切り替えを行うための操作スイッチ１４が取り付けられている。操作スイッチ１４は、左右の昇降バー２４の両方に取り付けられている。なお、操作スイッチ１４は、介護者が操作することを考慮した位置に別途設けても良い。
【００２１】
ケースフレーム２５の下端部には、リニアアクチュエータ２２の本体ハウジング２７が固定ピン２８ａによって固定されている。リニアアクチュエータ２２には、いわゆる電動送りねじ式のリニアアクチュエータが使用される。電動送りねじ式のリニアアクチュエータでは、雄ねじ部を備えたシャフトを電動モータによって回転駆動し、シャフトに螺合装着された雌ねじ部材をシャフトに沿って駆動させる。雌ねじ部材には、伸縮ロッド２９が取り付けられており、電動モータの回転に伴い、伸縮ロッド２９が軸方向に伸縮する。
【００２２】
リニアアクチュエータ２２の本体ハウジング２７は、ベースフレーム２の側枠２ａ上に固定されている。リニアアクチュエータ２２は、伸縮ロッド２９が上方に向かって出没するように取り付けられる。伸縮ロッド２９の先端部は、固定ピン２８ｂによって、昇降フレーム２６に固定される。これにより、リニアアクチュエータ２２が作動し、伸縮ロッド２９が伸縮すると、図２（ｂ）、図３（ｃ）に示すように、昇降フレーム２６が上下方向に移動し、昇降バー２４が昇降する。左右の起立補助装置２１は何れも同じ内部構造となっており、それぞれのリニアアクチュエータ２２を同期駆動させることにより、昇降バー２４は同期して昇降する。
【００２３】
図４は、リニアアクチュエータ２２の制御系の構成を示すブロック図である。リニアアクチュエータ２２は、ボトム８下に配されたコントロールボックス１５内に収容されたコントローラ３１によって制御される。リニアアクチュエータ２２には、伸縮ロッド２９の作動量を検出するセンサ３２が設けられており、コントローラ３１は、左右のリニアアクチュエータ２２のセンサ３２から、各伸縮ロッド２９の作動量を取得する。センサ３２としては、例えば、ポテンショメータが使用され、その場合、電動モータやシャフトの回転角度を検知することにより、伸縮ロッド２９の作動量が検出される。
【００２４】
コントローラ３１にはＣＰＵ３３が搭載されており、ＣＰＵ３３には、操作スイッチ１４やセンサ３２から信号が入力される。ＣＰＵ３３内には、まず、操作スイッチ１４からの信号に基づき、リニアアクチュエータ２２の動作方向を切り替える動作方向切替部３４が設けられている。また、ＣＰＵ３３には、リニアアクチュエータ２２の各センサ３２から信号を比較するコンパレータ３５と、コンパレータ３５による比較結果に基づき、リニアアクチュエータ２２の動作を同期させるアクチュエータ同期部３６が設けられている。加えて、ＣＰＵ３３には、動作方向切替部３４やアクチュエータ同期部３６の指示に基づき電動モータを駆動制御するモータ駆動制御部３７が設けられている。コントローラ３１にはさらに、ＣＰＵ３３における制御動作データが格納されたＲＯＭ３８と、リニアアクチュエータ２２の動作状態等の各種データを一時保存するＲＡＭ３９が設けられている。
【００２５】
このようなベッド１では、次のようにして立ち上がり動作の補助が行われる。図５は、ベッド１における開閉サイドレール１１を用いた補助動作を示す説明図である。なお、ここでは、ベッド１における被介護者１０の起立動作補助について述べるが、着座動作においても同様の動作補助が可能である（上述とは逆の動作：図５（ｂ）→（ａ））。被介護者１０がベッド１から立ち上がる場合、まず、図３（ａ）に示すように、開閉サイドレール１１を開ける。開閉サイドレール１１には、所定角度（例えば、４５°と９０°）開いた状態でロックするようにロック機構が設けられており、９０°開いた状態でロックされる。次に、図３（ｂ）に示すように、昇降バー２４を９０°内側に回動させる。昇降バー２４にもロック機構が設けられており、昇降バー２４は９０°内側に回動させた状態でロックされる。
【００２６】
このように昇降バー２４を９０°内側に回動させた後、被介護者１０は、図５（ａ）に示すように、昇降バー２４を両手、両腕、両肘等で受け、両脇で抱えるように持つ。次に、昇降バー２４の先端部ある操作スイッチ１４を操作し、起立補助装置２１を起立方向に動作させる。操作スイッチ１４がＯＮされ起立方向に操作されると、ＣＰＵ３３により電動モータが駆動され、リニアアクチュエータ２２が作動する。リニアアクチュエータ２２が作動すると、伸縮ロッド２９が軸方向に伸び、昇降フレーム２６と共に昇降バー２４も上昇する。また、開閉サイドレール１１が取り付けられた側の起立補助装置２１では、昇降フレーム２６と共に開閉サイドレール１１も上昇する。
【００２７】
昇降バー２４の上昇量は、被介護者１０の体格に応じて適宜設定可能であり、また、昇降バー２４の動作も操作スイッチ１４の操作により随時停止させることが可能である。リニアアクチュエータ２２は、逆転防止機構を備えており、定格体重の４倍の荷重を受けてもリニアアクチュエータ２２は逆転せず、操作スイッチ１４により停止させた位置を保つ構造となっている。なお、左右の操作スイッチ１４は、先に操作された方の動作が優先するよう設定されている。
【００２８】
昇降フレーム２６及び昇降バー２４の動作は、伸縮ロッド２９の伸縮量という形で常にＣＰＵ３３にてモニタされており、左右の昇降フレーム２６は同期した状態で上昇する。昇降フレーム２６が上昇すると、それに伴って、昇降バー２４によって身体を支えられた被介護者１０の上半身が持ち上げられ、図５（ｂ）に示すような起立状態となる。この際、被介護者１０は、両脇と腕が保持された状態で上半身が移動するため、臀部昇降の不安もなく、安定した形で離着座動作が補助される。従来のベッドでは、立ち上がり補助の機構が付属しているものでも、体を支える保持部材が片側にしか設けられていないため、被介護者が不安定感を感じるという問題があった。これに対し、本発明によるベッド用サイドレール６（開閉サイドレール１１）では、両腕・両脇を保持する形となり、安定感・安心感のある補助動作を実現できる。
【００２９】
一方、起立補助装置２１では、昇降バー２４の補助によって立ち上がった後、開閉サイドレール１１を、歩き出しの数歩間の手すりとして使用できる。また、その際、開閉サイドレール１１は、被介護者１０の両側に配されているため、歩き出しのサポートとしても利用できる。このため、単に立ち上がりの補助を行うのみならず、立ち上がり後の動作においても被介護者１０に安心感を与えることができる。また、起立補助装置２１では、被介護者１０は開閉サイドレール１１につかまりながら容易に方向転換できる。このため、図６に示すように、ベッド１から立ち上がり、車椅子４１や簡易トイレ等に移乗するなどの動作の補助も可能である。すなわち、起立補助装置２１は、起立補助のみならず、移乗機機能も併せ持った構成となっている。従って、被介護者１０の「ベッド⇔車椅子・便座等」の補助を１装置にて行うことが可能である。また、被介護者１０が一人で車椅子、簡易トイレ等に移乗することも可能となり、自立支援の一助ともなる。
【００３０】
さらに、起立補助装置２１では、昇降バー２４がロングサイズに形成されているため、被介護者１０が起き上がるところからサポートが可能である。この場合は、まず、図７に示すように、背ボトム８ａを起こして被介護者１０の上半身を起き上がらせる。その後、足下側の昇降バー２４を９０°回転させる。このとき、他方の昇降バー２４は回動させず、サイドレール６ａ上にそのまま静止させておく。これにより、上半身が起き上がった被介護者１０の胸元に一方の昇降バー２４が配され、被介護者１０は、胸元の昇降バー２４を抱えつつ、体を開閉サイドレール１１側に向けることが可能となる。そして、体を開閉サイドレール１１側に向けた被介護者１０は、起立補助装置２１の補助により、前述のような動作でベッド１から立ち上がる。
【００３１】
このように、起立補助装置２１では、昇降動作の際に昇降バー２４を抱え、操作スイッチ１４によって被介護者１０が装置動作を自分の意思でコントロールできる。しかも、臀部を昇降させる構造ではなく、通常の介助と同ように脇を抱え上げる動作を行うため、立ち上がりの際、ベッドから放り出されるような不安感や、臀部に違和感を覚えたりすることがなく、安心感のある安定した離着座動作が可能となる。また、補助機構がシンプルであるため、価格もリーズナブルに抑えられるため、広範囲な普及も期待でき、足や足関節等の病気・障害、腰痛など、比較的軽微な障害者のニーズにも応えられる。
【００３２】
本発明は前記実施形態に限定されるものではなく、その要旨を逸脱しない範囲で種々変更可能であることは言うまでもない。
例えば、前述の実施形態では、開閉部９に片開きにて開閉サイドレール１１を設けた構成を示したが、開閉サイドレール１１を開口部９ａの両側に配し両開きとすることも可能である。開閉サイドレール１１を両開きとした場合は、両側の起立補助装置２１の昇降フレーム２６にそれぞれ開閉サイドレール１１を取り付ける。また、起立補助装置２１を片側のみに設け、被介護者が一方側の昇降バー２４へ覆い被さるようにしても良い。さらに、起立補助装置２１の機能は起立動作の補助のみには限定されず、起立補助装置２１がベッドへ座る場合の着座動作の補助も行い得るのは前述の通りである。従って、本発明は、起立補助装置付きベッドとなっているが、着座動作の補助を行う装置を除くものではない。
【００３３】
一方、前述の実施形態では、センサ３２の一例としてポテンショメータを挙げたが、センサの種類はこれには限定されず、磁気センサなど、モータ回転数を検知し、伸縮ロッド２９の作動量を検出可能なものであれば他のセンサも使用可能である。また、起立補助装置２１において、昇降フレーム２６の上昇速度を操作スイッチ１４の操作や、他の設定スイッチなどにより変更できるようにしても良い。さらに、昇降バー２４を前後にスライド可能に設けても良く、その場合、図５（ａ）→（ｂ）の動作を、昇降バー２４をスライドさせつつ行うことができる。また、昇降バー２４を開閉サイドレール１１からさらに突出してスライドできるようにしても良く、これにより、歩き出しの補助をさらに多くできると共に、下方に開閉サイドレール１１のない空間を作ることができ、車椅子の取り回しも容易となる。
【符号の説明】
【００３４】
１    起立補助装置付きベッド
２    ベースフレーム
２ａ  側枠
３    支持脚
４    ヘッドボード
５    フットボード
６    サイドレール
６ａ  サイドレール
７    サイドレール
７ａ  サイドレール
８    ボトム
８ａ  背ボトム
８ｂ  中ボトム
８ｃ  脚ボトム
９    開閉部
９ａ  開口部
１０    被介護者
１１    開閉サイドレール
１２    蝶番
１３    ラッチ
１４    操作スイッチ
１５    コントロールボックス
２１    起立補助装置
２２    リニアアクチュエータ
２３    電動昇降ユニット
２４    昇降バー
２５    ケースフレーム
２６    昇降フレーム
２７    本体ハウジング
２８ａ,２８ｂ    固定ピン
２９    伸縮ロッド
３１    コントローラ
３２    センサ
３３    ＣＰＵ
３４    動作方向切替部
３５    コンパレータ
３６    アクチュエータ同期部
３７    モータ駆動制御部
３８    ＲＯＭ
３９    ＲＡＭ
４１    車椅子
Ａ      収容位置
Ｕ      使用位置
【図１】
0006343215.tif 000002
【図２】
0006343215.tif 000003
【図３】
0006343215.tif 000004
【図４】
0006343215.tif 000005
【図５】
0006343215.tif 000006
【図６】
0006343215.tif 000007
【図７】
0006343215.tif 000008